【手続補正書】
【提出日】平成24年3月26日(2012.3.26)
【手続補正１】
【補正対象書類名】明細書
【補正対象項目名】０００６
【補正方法】変更
【補正の内容】
【０００６】
例えば、図１２は、電力線に乗っている信号の６〜７ＭＨｚのスペクトル例を示しており、矢印Ｐ１〜Ｐ４で示す周波数成分は放送波を示している。図１３は、ＰＬＣシステムの通信信号が電力線に送出された際の６〜７ＭＨｚのノイズスペクトル例を示している。図１４は、図１２のスペクトル例と図１３のノイズスペクトル例を重ねて示したものである。この図１４の状態では、放送波のレベルをＰＬＣシステムの通信信号によるノイズのレベルが越えているため、放送波を検出できない。本来は、放送波を検出して、図１５に示すように、放送波が含まれる所定幅の周波数帯域にノッチを入れ、短波放送を受信している者に妨害を与えないようにしたい。
【手続補正２】
【補正対象書類名】明細書
【補正対象項目名】００２２
【補正方法】変更
【補正の内容】
【００２２】
【図１】この発明の実施の形態としてのＰＬＣ(電力線通信)モデムの構成例を示すブロック図である。
【図２】ＰＬＣモデムのデータ送信部の構成例を説明するためのブロック図である。
【図３】ＰＬＣモデムのデータ受信部の構成例を説明するためのブロック図である。
【図４】交流電圧のゼロクロス点と共存領域の配置位置の関係を説明するための図である。
【図５】共存領域のフィールド構成例および共存領域と共存領域の間のデータ領域の構成例を説明するための図である。
【図６】ＡフィールドにＣＤＣＦ信号が出ていて、アクセス系システムが使用する際のデータ領域を説明するための図である。
【図７】３相交流の場合におけるゼロクロス点への同期を説明するための図である。
【図８】ＰＬＣモデムのＣＤＣＦ受信部で、ＣＤＣＦ信号の一つ（この例ではＲフィールドのＣＤＣＦ信号）を検出する際の時間位置の求め方を説明するための図である。
【図９】制御部における放送波検出期間の決定およびノッチ入れの処理手順の一例を示すフローチャートである。
【図１０】制御部における放送波検出期間の決定およびノッチ入れの処理手順の他の例を示すフローチャート（１／２）である。
【図１１】制御部における放送波検出期間の決定およびノッチ入れの処理手順の他の例を示すフローチャート（２／２）である。
【図１２】電力線に乗っている信号の６〜７ＭＨｚのスペクトル例を示す図である。
【図１３】ＰＬＣシステムの通信信号が電力線に送出された際の６〜７ＭＨｚのノイズスペクトル例を示す図である。
【図１４】電力線に乗っている信号の６〜７ＭＨｚのスペクトル例とＰＬＣシステムの通信信号が電力線に送出された際の６〜７ＭＨｚのノイズスペクトル例を重ねて示した図である。
【図１５】放送波が含まれる所定幅の周波数帯域にノッチを入れ、短波放送を受信している者に妨害を与えないようにした場合のスペクトル例を示す図である。
【手続補正３】
【補正対象書類名】明細書
【補正対象項目名】００３３
【補正方法】変更
【補正の内容】
【００３３】
データ送信部１１１は、制御部１０１から供給される送信データに対してＯＦＤＭ変調処理を行い、２〜３０ＭＨｚの通信帯域を持つ通信信号（送信信号）を生成して出力する。図２は、データ送信部１１１の構成例を示している。このデータ送信部１１１は、シンボルマッパ１１１ａと、Ｓ／Ｐ変換器１１１ｂと、逆マルチキャリア変換器１１１ｃと、Ｐ／Ｓ変換器１１１ｄを有している。
【手続補正４】
【補正対象書類名】明細書
【補正対象項目名】００３４
【補正方法】変更
【補正の内容】
【００３４】
シンボルマッパ１１１ａは、送信データであるビットデータをシンボルデータに変換し、各シンボルデータに従って複素座標面にシンボルマッピング（ＰＡＭ，ＱＡＭ等の変調）を行う。Ｓ／Ｐ変換器１１１ｂは、サブキャリア毎に実数値または複素値を与える。逆マルチキャリア変換器１１１ｃは、離散マルチキャリア信号に変換し、時間軸波形のサンプル値を発生させ、伝送シンボルを表すサンプル値系列を生成する。Ｐ／Ｓ変換器１１１ｄは、サンプル値系列をパラレルからシリアルに変換して通信信号を得る。
【手続補正５】
【補正対象書類名】明細書
【補正対象項目名】００３５
【補正方法】変更
【補正の内容】
【００３５】
図１に戻って、Ｄ／Ａ変換器１１２は、データ送信部１１１から出力される通信信号をデジタル信号からアナログ信号に変換する。増幅器１１３は、Ｄ／Ａ変換器１１２でアナログ信号とされた通信信号を増幅する。ローパスフィルタ１１４は、増幅器１１３で増幅された通信信号の帯域を制限する。ドライバ１１５は、制御部１０１の制御のもと、データ送信時に、ローパスフィルタ１１４からの通信信号を、カプラ１０５および電源コネクタ１０４を通じて、電力線に送出する。
【手続補正６】
【補正対象書類名】明細書
【補正対象項目名】００４１
【補正方法】変更
【補正の内容】
【００４１】
Ｄ／Ａ変換器１２２は、ＣＤＣＦ送信部１２１から出力されるＣＤＣＦ信号をデジタル信号からアナログ信号に変換する。増幅器１２３は、Ｄ／Ａ変換器１２２でアナログ信号とされたＣＤＣＦ信号を増幅する。ローパスフィルタ１２４は、増幅器１２３で増幅されたＣＤＣＦ信号の帯域を制限する。ドライバ１２５は、制御部１０１の制御のもと、ＣＤＣＦ信号の送信時に、ローパスフィルタ１２４からのＣＤＣＦ信号を、カプラ１０５および電源コネクタ１０４を通じて、電力線に送出する。
【手続補正７】
【補正対象書類名】明細書
【補正対象項目名】００４７
【補正方法】変更
【補正の内容】
【００４７】
図５（ａ）は、共存領域のフィールド構成例を示している。共存領域は、Ａフィールド、Ｈ１〜Ｈ４フィールド、Ｂ１〜Ｂ３フィールド、Ｒフィールド、Ｊ１，Ｊ２フィールドの１１個のフィールド領域により構成されている。なお、共存領域と共存領域の間はデータ領域とされている。このデータ領域には、図５（ｂ）に示すように、ベストエフォート型データ領域を構成するＤスロットおよび帯域予約型データ領域を構成するＳスロット（Ｓ１〜Ｓ４）が、順次、繰り返し配置されている。データ通信は、各スロットの時間位置を利用することで行われる。
【手続補正８】
【補正対象書類名】明細書
【補正対象項目名】００５０
【補正方法】変更
【補正の内容】
【００５０】
Ｊ１，Ｊ２フィールドで出すＣＤＣＦ信号は、Ｓスロットを使いたいシステムが新規参入、あるいは使用スロットの数を増やしたい場合の参入要求となる。Ｊ１，Ｊ２フィールドでＣＤＣＦ信号を検出した他のシステムは、使用中のＳスロットを空ける。すなわち、新規にＳスロットを獲得するシステムは、Ｊ１，Ｊ２フィールドでＣＤＣＦ信号を出し、Ｈフィールドに空きが出るのを待ってからＨフィールドにＣＤＣＦ信号を出す。そのため、Ｊ１，Ｊ２フィールドにＣＤＣＦ信号が出るまでは、Ｈフィールドの空きが塞がることはない。Ｊ１，Ｊ２フィールドは、ＣＤＣＦ信号が出る頻度は少ないが、事前に予告なく信号が送信される。
【手続補正９】
【補正対象書類名】明細書
【補正対象項目名】００５１
【補正方法】変更
【補正の内容】
【００５１】
Ｂ１〜Ｂ３のフィールドで出すＣＤＣＦ信号は、ベストエフォート型のシステムが時々通信を行うために、Ｄスロットを時分割で使うときに、どのタイミングで使うかを示し、次のＣＤＣＦ信号の送信時間がくるまでの間に使う場所を示すものとなる。例えば、図５（ｂ）に示すようにベストエフォート型のシステムが使えるＤスロットが定期的に配置されている場合、共存領域から数えて何番目のＤスロットを使うかをＢ１〜Ｂ３に出すＣＤＣＦ信号で示す。もしくは、１つのＤスロットを３分割して、前方１／３、中間１／３、後方１／３のどこを使うかをＢ１〜Ｂ３に出すＣＤＣＦ信号で示す。
【手続補正１０】
【補正対象書類名】明細書
【補正対象項目名】００５３
【補正方法】変更
【補正の内容】
【００５３】
各システムは交流電圧のゼロクロス点に同期して共存領域を配置する。しかし、共存領域が複数サイクル周期で配置される共存方式の場合、途中のゼロクロス点に同期して共存領域を配置するシステムは同期がとれていないことになる。また、３相交流の場合、図７に示すように、異なる相を使っているシステム間ではゼロクロス点がずれるため、同期がとれないことがある。Ｒフィールドで出すＣＤＣＦ信号、つまりリシンクロナイズ信号は、このようなシステム間の同期を取るために使用される。
【手続補正１１】
【補正対象書類名】明細書
【補正対象項目名】００５７
【補正方法】変更
【補正の内容】
【００５７】
次に、ＣＤＣＦ信号の受信時の動作を説明する。電力線から電源コネクタ１０４、カプラ１０５およびバンドパスフィルタ１２６を通じて、ＣＤＣＦ信号に対応した周波数信号を抽出する。この周波数信号は、増幅器１２７で増幅され、Ａ／Ｄ変換器１２８でアナログ信号からデジタル信号に変換された後、ＣＤＣＦ受信部１２９に供給される。ＣＤＣＦ受信部１２９には、制御部１０１から、ＣＤＣＦ信号の受信タイミングや、どの種類のＣＤＣＦ信号を検出するかが指示される。ＣＤＣＦ受信部１２９では、指示された受信タイミングでＣＤＣＦ信号の検出が行われる。そして、その検出情報が制御部１０１に供給される。
【手続補正１２】
【補正対象書類名】明細書
【補正対象項目名】００６９
【補正方法】変更
【補正の内容】
【００６９】
制御部１０１は、ステップＳＴ１０において、処理を開始し、その後に、ステップＳＴ１１の処理に移る。このステップＳＴ１１において、制御部１０１は、新規参入か否かを判断する。新規参入でないときは、直ちに、ステップＳＴ１３の処理に移る。一方、新規参入であるときは、ステップＳＴ１２の処理に移る。
【手続補正１３】
【補正対象書類名】明細書
【補正対象項目名】００７０
【補正方法】変更
【補正の内容】
【００７０】
このステップＳＴ１２において、制御部１０１は、同期処理を行う。すなわち、制御部１０１は、既に稼働している他のシステムに、自システムを同期させる。この同期処理は、他のシステムが共存領域で出しているＣＤＣＦ信号を参照して行う。あるいは、制御部１０１は、稼働している他のシステムがないときは、自分で共存領域の基準となるゼロクロス点を決める。制御部１０１は、ステップＳＴ１２の処理の後、ステップＳＴ１３の処理に進む。
【手続補正１４】
【補正対象書類名】図面
【補正対象項目名】図１０
【補正方法】変更
【補正の内容】
【図１０】
2010268121.tif 000001